【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
追跡機能を有するグループ署名方式によって販売対象の匿名注文に応じた販売を実行する際に、前記匿名注文毎にポイントサービスを実行可能な匿名注文システムであって、
前記匿名注文をする購入者の個人情報及びグループ署名関連情報を第１記憶手段に記憶し、販売店から受けた注文ＩＤ及びグループ署名を含む匿名注文情報に基づいて、前記追跡機能により、当該グループ署名を復号して得られたグループ署名関連情報から前記第１記憶手段内の対応する個人情報を特定し、この個人情報を外部の配送手段による配送のために出力する管理者装置と、
過去の購入者の購入者装置に発行した仮ＩＤ、パスワード及びポイント情報を互いに関連付けて第２記憶手段に記憶しておき、今回の購入者の購入者装置に注文ＩＤを発行し、今回の購入者装置から前記注文ＩＤ及びグループ署名を含む匿名注文情報と仮ＩＤ及びパスワードとを受けると、当該グループ署名を検証し、当該仮ＩＤ及びパスワードを前記第２記憶手段を参照して検証し、両方の検証結果が正当のとき、今回の匿名注文情報に応じたポイント情報を前記第２記憶手段に保存し且つ前記購入者装置に送出し、当該匿名注文情報を前記管理者装置に送出する販売店装置と、
過去の匿名注文情報、仮ＩＤ、パスワード及びポイント情報を互いに関連付けて第３記憶手段に記憶しておき、前記購入者の操作により、前記販売店装置から注文ＩＤを受けると、この注文ＩＤ及びグループ署名を含む匿名注文情報を生成し、得られた匿名注文情報と前記第３記憶手段内の仮ＩＤ及びパスワードとを前記販売店装置に送信し、この送信に応じて前記販売店装置から受けたポイント情報を今回の匿名注文情報、仮ＩＤ及びパスワードに互いに関連付けて前記第３記憶手段に保存する購入者装置と
を備えたことを特徴とする匿名注文システム。
【請求項２】
追跡機能を有するグループ署名方式によって販売対象の匿名注文に応じた販売を実行する際に、前記匿名注文毎にポイントサービスを実行可能な匿名注文システムであって、
前記匿名注文をする購入者の個人情報及びグループ署名関連情報を第１記憶手段に記憶し、販売店から受けた注文ＩＤ及びグループ署名を含む匿名注文情報に基づいて、前記追跡機能により、当該グループ署名を復号して得られたグループ署名関連情報から前記第１記憶手段内の対応する個人情報を特定し、この個人情報を外部の配送手段による配送のために出力する管理者装置と、
ゼロ知識証明方式に基づき過去の購入者の購入者装置から提示された利用提示用情報と、過去に発行したポイント情報とを互いに関連付けて第２記憶手段に記憶しておき、今回の購入者の購入者装置に注文ＩＤを発行し、今回の購入者装置から前記注文ＩＤ及びグループ署名を含む匿名注文情報と利用提示用情報及び証明情報とを受けると、当該グループ署名を検証し、当該利用提示用情報及び証明情報を前記第２記憶手段を参照して前記ゼロ知識証明に基づき検証し、両方の検証結果が正当のとき、今回の匿名注文情報に応じたポイント情報を前記第２記憶手段に保存し且つ前記購入者装置に送出し、当該匿名注文情報を前記管理者装置に送出する販売店装置と、
過去の匿名注文情報、過去の利用提示用情報及びポイント情報を互いに関連付けて第３記憶手段に記憶しておき、前記購入者の操作により、前記販売店装置から注文ＩＤを受けると、この注文ＩＤ及びグループ署名を含む匿名注文情報を生成し、前記第３記憶手段内の利用提示情報及び前記ゼロ知識証明方式に基づいて今回の利用提示用情報及び証明情報を生成し、得られた匿名注文情報と、前記第３記憶手段内の利用提示用情報と、今回の利用提示用情報及び証明情報とを前記販売店装置に送信し、この送信に応じて前記販売店装置から受けたポイント情報を今回の匿名注文情報、今回の利用提示用情報に互いに関連付けて前記第３記憶手段に保存する購入者装置と
を備えたことを特徴とする匿名注文システム。
【請求項３】
追跡機能を有するグループ署名方式によって販売対象の匿名注文に応じた販売を実行する際に、前記匿名注文毎にポイントサービスを実行可能な匿名注文システムに用いられ、前記匿名注文をする購入者の購入者装置と、前記購入者を前記グループ署名方式により管理する管理者装置との両装置と通信可能な販売店装置であって、
過去の購入者の購入者装置に発行した仮ＩＤ、パスワード及びポイント情報が互いに関連付けて記憶される第２記憶手段と、
今回の購入者の購入者装置から受けた販売対象特定情報に基づいて注文ＩＤを発行し、この注文ＩＤを当該購入者装置に送信する注文ＩＤ発行手段と、
今回の購入者装置から前記注文ＩＤ及びグループ署名を含む匿名注文情報を受けると、当該グループ署名を検証する署名検証手段と、
今回の購入者装置から仮ＩＤ及びパスワードを受けると、当該仮ＩＤ及びパスワードを前記第２記憶手段を参照して検証する仮ＩＤ検証手段と、
全ての検証結果が正当のとき、今回の匿名注文情報に応じたポイント情報を前記第２記憶手段に保存し且つ前記購入者装置に送信するポイント情報処理手段と、
全ての検証結果が正当のとき、今回の匿名注文情報を前記管理者装置に送信する送信手段と
を備えたことを特徴とする販売店装置。
【請求項４】
追跡機能を有するグループ署名方式によって販売対象の匿名注文に応じた販売を実行する際に、前記匿名注文毎にポイントサービスを実行可能な匿名注文システムに用いられ、前記匿名注文をする購入者の購入者装置と、前記購入者を前記グループ署名方式により管理する管理者装置との両装置と通信可能な販売店装置であって、
ゼロ知識証明方式に基づき過去の購入者の購入者装置から提示された利用提示用情報及びポイント情報が互いに関連付けて記憶される第２記憶手段と、
今回の購入者の購入者装置から受けた販売対象特定情報に基づいて注文ＩＤを発行し、この注文ＩＤを当該購入者装置に送信する注文ＩＤ発行手段と、
今回の購入者装置から前記注文ＩＤ及びグループ署名を含む匿名注文情報を受けると、当該グループ署名を検証する署名検証手段と、
今回の購入者装置から利用提示用情報及び証明情報を受けると、当該利用提示用情報及び証明情報を前記第２記憶手段を参照して前記ゼロ知識証明方式に基づき検証するゼロ知識証明検証手段と、
全ての検証結果が正当のとき、今回の匿名注文情報に応じたポイント情報を前記第２記憶手段に保存し且つ前記購入者装置に送信するポイント情報処理手段と、
全ての検証結果が正当のとき、今回の匿名注文情報を前記管理者装置に送信する送信手段と
を備えたことを特徴とする販売店装置。
【請求項５】
追跡機能を有するグループ署名方式によって販売対象の匿名注文に応じた販売を実行する際に、前記匿名注文毎にポイントサービスを実行可能な匿名注文システムに用いられ、前記匿名注文をする購入者の購入者装置と、前記購入者を前記グループ署名方式により管理する管理者装置との両装置と通信可能な販売店装置のプログラムであって、
前記販売店装置のコンピュータを、
過去の購入者の購入者装置に発行した仮ＩＤ、パスワード及びポイント情報が互いに関連付けて記憶される第２記憶手段、
今回の購入者の購入者装置から受けた販売対象特定情報に基づいて注文ＩＤを発行し、この注文ＩＤを当該購入者装置に送信する注文ＩＤ発行手段、
今回の購入者装置から前記注文ＩＤ及びグループ署名を含む匿名注文情報を受けると、当該グループ署名を検証する署名検証手段、
今回の購入者装置から仮ＩＤ及びパスワードを受けると、当該仮ＩＤ及びパスワードを前記第２記憶手段を参照して検証する仮ＩＤ検証手段、
全ての検証結果が正当のとき、今回の匿名注文情報に応じたポイント情報を前記第２記憶手段に保存し且つ前記購入者装置に送信するポイント情報処理手段、
全ての検証結果が正当のとき、今回の匿名注文情報を前記管理者装置に送信する送信手段、
として機能させるためのプログラム。
【請求項６】
追跡機能を有するグループ署名方式によって販売対象の匿名注文に応じた販売を実行する際に、前記匿名注文毎にポイントサービスを実行可能な匿名注文システムに用いられ、前記匿名注文をする購入者の購入者装置と、前記購入者を前記グループ署名方式により管理する管理者装置との両装置と通信可能な販売店装置のプログラムであって、
前記販売店装置のコンピュータを、
ゼロ知識証明方式に基づき過去の購入者の購入者装置から提示された利用提示用情報及びポイント情報が互いに関連付けて記憶される第２記憶手段、
今回の購入者の購入者装置から受けた販売対象特定情報に基づいて注文ＩＤを発行し、この注文ＩＤを当該購入者装置に送信する注文ＩＤ発行手段、
今回の購入者装置から前記注文ＩＤ及びグループ署名を含む匿名注文情報を受けると、当該グループ署名を検証する署名検証手段、
今回の購入者装置から利用提示用情報及び証明情報を受けると、当該利用提示用情報及び証明情報を前記第２記憶手段を参照して前記ゼロ知識証明方式に基づき検証するゼロ知識証明検証手段、
全ての検証結果が正当のとき、今回の匿名注文情報に応じたポイント情報を前記第２記憶手段に保存し且つ前記購入者装置に送信するポイント情報処理手段、
全ての検証結果が正当のとき、今回の匿名注文情報を前記管理者装置に送信する送信手段、
として機能させるためのプログラム。
【請求項７】
追跡機能を有するグループ署名方式によって販売対象の匿名注文に応じた販売を実行する際に、前記匿名注文毎にポイントサービスを実行可能な匿名注文システムに用いられ、
前記匿名注文をする購入者の個人情報及びグループ署名関連情報を第１記憶手段に記憶し、販売店から受けた注文ＩＤ及びグループ署名を含む匿名注文情報に基づいて、前記追跡機能により、当該グループ署名を復号して得られたグループ署名関連情報から前記第１記憶手段内の対応する個人情報を特定し、この個人情報を外部の配送手段による配送のために出力する管理者装置と、
過去の購入者の購入者装置に発行した仮ＩＤ、パスワード及びポイント情報を互いに関連付けて第２記憶手段に記憶しておき、今回の購入者の購入者装置に注文ＩＤを発行し、今回の購入者装置から前記注文ＩＤ及びグループ署名を含む匿名注文情報と仮ＩＤ及びパスワードとを受けると、当該グループ署名を検証し、当該仮ＩＤ及びパスワードを前記第２記憶手段を参照して検証し、両方の検証結果が正当のとき、今回の匿名注文情報に応じたポイント情報を前記第２記憶手段に保存し且つ前記購入者装置に送出し、当該匿名注文情報を前記管理者装置に送出する販売店装置と
の両装置と通信可能な購入者装置のプログラムであって、
前記購入装置のコンピュータを、
過去の匿名注文情報、仮ＩＤ、パスワード及びポイント情報が互いに関連付けて記憶される第３記憶手段、
前記購入者の操作により、前記販売店装置から注文ＩＤを受けると、この注文ＩＤ及びグループ署名を含む匿名注文情報を生成する匿名情報生成手段、
得られた匿名注文情報と前記第３記憶手段内の仮ＩＤ及びパスワードとを前記販売店装置に送信する仮ＩＤ送信手段、
この送信に応じて前記販売店装置から受けたポイント情報を今回の匿名注文情報、仮ＩＤ及びパスワードに互いに関連付けて前記第３記憶手段に書き込むポイント書込手段、
として機能させるためのプログラム。
【請求項８】
追跡機能を有するグループ署名方式によって販売対象の匿名注文に応じた販売を実行する際に、前記匿名注文毎にポイントサービスを実行可能な匿名注文システムに用いられ、
前記匿名注文をする購入者の個人情報及びグループ署名関連情報を第１記憶手段に記憶し、販売店から受けた注文ＩＤ及びグループ署名を含む匿名注文情報に基づいて、前記追跡機能により、当該グループ署名を復号して得られたグループ署名関連情報から前記第１記憶手段内の対応する個人情報を特定し、この個人情報を外部の配送手段による配送のために出力する管理者装置と、
ゼロ知識証明方式に基づき過去の購入者の購入者装置から提示された利用提示用情報と、過去に発行したポイント情報とを互いに関連付けて第２記憶手段に記憶しておき、今回の購入者の購入者装置に注文ＩＤを発行し、今回の購入者装置から前記注文ＩＤ及びグループ署名を含む匿名注文情報と利用提示用情報及び証明情報とを受けると、当該グループ署名を検証し、当該利用提示用情報及び証明情報を前記第２記憶手段を参照して前記ゼロ知識証明に基づき検証し、両方の検証結果が正当のとき、今回の匿名注文情報に応じたポイント情報を前記第２記憶手段に保存し且つ前記購入者装置に送出し、当該匿名注文情報を前記管理者装置に送出する販売店装置と
の両装置と通信可能な購入者装置のプログラムであって、
前記購入装置のコンピュータを、
過去の匿名注文情報、過去の利用提示用情報及びポイント情報が互いに関連付けて記憶される第３記憶手段、
前記購入者の操作により、前記販売店装置から注文ＩＤを受けると、この注文ＩＤ及びグループ署名を含む匿名注文情報を生成する匿名情報生成手段、
前記第３記憶手段内の利用提示情報及び前記ゼロ知識証明方式に基づいて、今回の利用提示用情報及び証明情報を生成する証明情報生成手段、
前記匿名情報生成手段により得られた匿名注文情報と、前記第３記憶手段内の利用提示用情報と、前記証明情報生成手段により生成された今回の利用提示用情報及び証明情報とを前記販売店装置に送信する証明情報送信手段、
この送信に応じて前記販売店装置から受けたポイント情報を今回の匿名注文情報、今回の利用提示用情報に互いに関連付けて前記第３記憶手段に書き込むポイント書込手段、
として機能させるためのプログラム。